(57)【要約】【課題】ＯＣＲ番号等が印刷されている、有価証券類等の番号印刷媒体において、特別な機械等を使用することなしに、この番号印刷の機械読取りと真贋判定が可能で、かつ偽造が困難な偽造防止策が施された番号印刷媒体の提供にある。【解決手段】一連の番号２０が蛍光インキで印刷されていて、その蛍光インキでなる番号は、短波長蛍光インキでなる番号（２０ｃ）と長波長蛍光インキでなる番号２０ｄとでなり、２種類のブラックランプで真贋判定が可能な偽造防止策が施された番号印刷媒体とするものである。【選択図】図４
2006205500.tif 000002
【特許請求の範囲】
【請求項１】
紙を基材とし、該基材上に、１乃至複数列の一連の番号が印刷されている、有価証券類で代表される番号印刷媒体において、少なくとも前記１列の一連の番号のうちの全部もしくは一部が蛍光インキで印刷されていることを特徴とする偽造防止策が施された番号印刷媒体。
【請求項２】
前記蛍光インキで印刷されている番号印刷のＰＣＳ濃度は、Ａフィルターで０．２以下であることを特徴とする請求項１記載の偽造防止策が施された番号印刷媒体。
【請求項３】
前記蛍光インキは、短波長蛍光および長波長蛍光の波長領域で発光する２種類のインキでなることを特徴とする請求項１乃至２のいずれか１項記載の偽造防止策が施された番号印刷媒体。
【請求項４】
前記一連の番号が一つの版胴に複数の堰で仕切られた区画部分の前記各種インキを付けるレインボー印刷方式で印刷されていることを特徴とする請求項１乃至３のいずれか１項記載の偽造防止策が施された番号印刷媒体。
【請求項５】
紙を基材とし、該基材上に、１乃至複数列の一連の番号が印刷されている、有価証券類で代表される番号印刷媒体において、少なくとも前記１列の一連の番号が赤外線を透過する混色墨インキと赤外線を吸収するカーボンブラック含有の墨インキとで構成されていることを特徴とする偽造防止策が施された番号印刷媒体。
【請求項６】
前記一連の番号が一つの版胴に複数の堰で仕切られた区画部分の前記各種インキを付けるレインボー印刷方式で印刷されていることを特徴とする請求項４記載の偽造防止策が施された番号印刷媒体。
【発明の詳細な説明】
【技術分野】
【０００１】
本発明は、偽造防止策が施された番号印刷媒体に関するものであり、さらに詳細には、有価証券類等に採用される、ＯＣＲ番号等が印刷されていて、この番号印刷に偽造が困難な偽造防止策が施された番号印刷媒体に関するものである。
【背景技術】
【０００２】
従来、商品券、金券、株券、債券等有価証券類に採用されている「番号印刷」は、番号器を有する印刷機を用いた凸版印刷方式にて行われていて、それに用いるインキは、カーボンブラック（顔料）を含有する凸版用墨インキであり、その印刷物は、凸版印刷特有の微エンボス跡が発生している（基材が紙の場合）ものが知られている。
【０００３】
この「番号印刷」の機械読み取りは、ＯＣＲ（Ｏｐｔｉｃａｌ  Ｃｈａｒａｃｔｅｒ
Ｒｅａｄｅｒ）が一般的であり、この「番号印刷」の偽造防止策としては、上記のカーボンブラック（顔料）を含有する凸版用墨インキ中に磁性体を分散せしめたインキを用い、専用の読み取り装置：ＭＩＣＲ（Ｍａｇｎｅｔｉｃ  Ｉｎｋ  Ｃｈａｒａｃｔｅｒ  Ｒｅａｄｅｒ）にて読み取り、その真偽判定をするとともに機械処理がなされるようになっている。
【０００４】
また、印刷される番号の文字列の中には、番号自体の整合性を確認するためのチェックデジットが含まれる場合が多くあり、金券、株券等では１枚の券中に複数の番号列を施し、それぞれの整合性が確認できるようになっている。
【０００５】
上記のような番号印刷が施された番号印刷物（媒体）は、この番号印刷以外の偽造防止策（例えば、ホログラム箔の貼込み、パールインキ、マイクロ文字など）が施されているが、この「番号印刷」が唯一の偽造防止策となる例は極めて稀である。但し、真贋（本物と偽者）の判定時にはこの「番号印刷」は、その特殊性から真贋の有力な根拠となるものである。
【発明の開示】
【発明が解決しようとする課題】
【０００６】
しかし、上記番号印刷に係る従来技術において、この番号印刷自体の複製（偽造）は、例えばスキャナー等を利用すれば、比較的簡単に成すことができ、また磁性体を含有するＭＩＣＲ用の特殊インキを用いた番号印刷の場合でも、例えば、磁性体が含有しているモノクロプリンター用トナーによって再現（複製）することができ、機械読み取りも可能となるという問題点があった。
【０００７】
本発明は、かかる従来技術の問題点を解決するものであり、その課題とするところは、ＯＣＲ番号等が印刷されている、有価証券類で代表される番号印刷媒体において、特別な機械等を使用することなしに（従来の番号印刷機を用いて）、この番号印刷が機械読取りと真贋判定が可能で、かつ偽造が困難な偽造防止策が施された番号印刷媒体を提供することにある。
【課題を解決するための手段】
【０００８】
本発明に於いて上記課題を達成するために、まず請求項１の発明では、紙を基材とし、該基材上に、１乃至複数列の一連の番号が印刷されている、有価証券類で代表される番号印刷媒体において、少なくとも前記１列の一連の番号のうちの全部もしくは一部が蛍光インキで印刷されていることを特徴とする偽造防止策が施された番号印刷媒体としたもので
ある。
【０００９】
また、請求項２の発明では、前記蛍光インキで印刷されている番号印刷のＰＣＳ濃度は、Ａフィルターで０．２以下であることを特徴とする請求項１記載の偽造防止策が施された番号印刷媒体としたものである。
【００１０】
また、請求項３の発明では、前記蛍光インキは、短波長蛍光および長波長蛍光の波長領域で発光する２種類のインキでなることを特徴とする請求項１乃至２のいずれか１項記載の偽造防止策が施された番号印刷媒体としたものである。
【００１１】
また、請求項４の発明では、前記一連の番号が一つの版胴に複数の堰で仕切られた区画部分の前記各種インキを付けるレインボー印刷方式で印刷されていることを特徴とする請求項１乃至３のいずれか１項記載の偽造防止策が施された番号印刷媒体としたものである。
【００１２】
また、請求項５の発明では、紙を基材とし、該基材上に、１乃至複数列の一連の番号が印刷されている、有価証券類で代表される番号印刷媒体において、少なくとも前記１列の一連の番号が赤外線を透過する混色墨インキと赤外線を吸収するカーボンブラック含有の墨インキとで構成されていることを特徴とする偽造防止策が施された番号印刷媒体としたものである。
【００１３】
また、請求項６の発明では、前記一連の番号が一つの版胴に複数の堰で仕切られた区画部分の前記各種インキを付けるレインボー印刷方式で印刷されていることを特徴とする請求項４記載の偽造防止策が施された番号印刷媒体としたものである。
【００１４】
上記請求項２でいうＰＣＳ濃度とは、Ｐｒｉｎｔ  Ｃｏｎｔｒａｓｔ  Ｓｉｇｎａｌの略で、コントラストを番号印刷の画線と基材（被印刷体）の相対反射率で表し、次式で計算される値であって、
ＰＣＳ＝（被印刷体の反射率）−（画線の反射率）／（被印刷体の反射率）
で表される。
【発明の効果】
【００１５】
本発明は以上の構成であるから、下記に示す如き効果がある。
【００１６】
即ち、上記請求項１に係る発明によれば、紙を基材とし、該基材上に、１乃至複数列の一連の番号が印刷されている、有価証券類で代表される番号印刷媒体において、少なくとも前記１列の一連の番号のうちの全部もしくは一部が蛍光インキで印刷されていることによって、可視光下では視認が困難であるが、専用の紫外線の照射装置（ブラックライト）では読取可能な偽造防止策が施された番号印刷媒体とすることができ、偽造を企てる者には可視光下では視認できない部分があるので、この番号印刷媒体の番号（ＯＣＲ番号等）の偽造を困難にするものである。
【００１７】
また、紙を基材としているので、可視光下では視認が困難な番号印刷に番号器特有の微エンボス跡が発生するので、この微エンボス跡が偽造防止に貢献する偽造防止策が施された番号印刷媒体とすることもできる。
【００１８】
また、上記請求項２に係る発明によれば、前記蛍光インキで印刷されている番号印刷のＰＣＳ濃度は、Ａフィルターで０．２以下であることによって、可視光線下では番号印刷の視認が困難で、偽造を企てる者を混乱させ、より偽造を困難にする偽造防止策が施された番号印刷媒体とすることができる。
【００１９】
上記蛍光インキで印刷されている番号印刷のＰＣＳ濃度が、Ａフィルターで０．２を越えると、可視光線下では番号印刷の存在とその内容が目視で判別可能となり、偽造を企てる者には、類似の蛍光インキを用いた偽造をも可能にする危惧があるので好ましくないものとなる。
【００２０】
また、上記請求項３に係る発明によれば、前記蛍光インキを、短波長蛍光および長波長蛍光の波長領域で発光する２種類のインキとすることによって、可視光下では視認が困難であるが、それを読み取る専用の紫外線の照射装置（ブラックライト）が、短波長蛍光か長波長蛍光を発するものかの選択が必要になり、この蛍光インキで印刷された番号が、たとえ蛍光インキで印刷されていると気付かれたとしても、偽造を企てる者には、蛍光インキの種類とブラックライトの種類までは気付かないので、偽造をより困難にする偽造防止策が施された番号印刷媒体とすることができる。
【００２１】
また、上記請求項４に係る発明によれば、前記一連の番号を一つの版胴に複数の堰で仕切られた区画部分の前記各種インキを付けるレインボー印刷方式で印刷されたものとすることによって、隣合う各種インキ、すなわち蛍光インキと有色インキあるいは２種類の蛍光インキで印刷された境界となる番号が両者のインキ（蛍光と有色等）が混じり合ったものとなるので、より偽造による再現が困難な偽造防止策が施された番号印刷媒体とすることができる。
【００２２】
また、上記請求項５に係る発明によれば、紙を基材とし、該基材上に、１乃至複数列の一連の番号が印刷されている、有価証券類で代表される番号印刷媒体において、少なくとも前記１列の一連の番号が赤外線を透過する混色墨インキと赤外線を吸収するカーボンブラック含有の墨インキとで構成されているため、可視光線下ではいずれの番号も黒色として視認されるので、偽造を企てる者には、このからくりが分からず、一連の番号をカーボンブラック含有の墨インキで偽造すると、この偽造物を専用の赤外モニターで観察すると、一連の番号全部が視認されるものとなり、この赤外線を透過する混色墨インキと赤外線を吸収するカーボンブラック含有の墨インキとで構成されている番号では、混色墨インキの部分が視認（観察）されずカーボンブラック含有の墨インキの部分のみが観察されるようになるので、真贋の判定が容易な偽造防止策が施された番号印刷媒体とすることができる。
【００２３】
さらにまた、上記請求項６に係る発明によれば、前記一連の番号が一つの版胴に複数の堰で仕切られた区画部分の前記各種インキ、すなわち赤外線を透過する混色墨インキと赤外線を吸収するカーボンブラック含有の墨インキを付けるレインボー印刷方式で印刷されていることによって、隣合う混色墨インキとカーボンブラック含有の墨インキで印刷された境界の番号が両者のインキが混じり合ったものとなるので、より偽造による再現が困難な偽造防止策が施された番号印刷媒体とすることができる。
【００２４】
従って本発明は、一連の番号が印刷されている商品券、金券、株券、債券等有価証券類で代表される偽造防止策が施された番号印刷媒体として、優れた実用上の効果を発揮するものである。
【発明を実施するための最良の形態】
【００２５】
以下本発明を実施するための最良の形態を図面を用いて詳細に説明する。
【００２６】
本発明は、例えば、図１の平面図に示すように、証券用紙等でなる基材（１０）上に、一連のＯＣＲ番号（２０）が印刷されている、商品券等有価証券類で代表される番号印刷媒体であって、その一連のＯＣＲ番号（２０）に偽造防止策が施されている番号印刷媒体
（１）に関するものである。
【００２７】
上記請求項１に係る発明では、例えば、図２（ａ）に示すように、一連のＯＣＲ番号（２０）が、可視光線下では視認できない蛍光インキで印刷されている番号（２０ａ）で構成されている偽造防止策が施された番号印刷媒体とするもので、この蛍光インキで印刷されている番号（２０ａ）に紫外光線を発する読取装置（ブラックライト）で照射すると、例えば、図２（ｂ）に示すように、蛍光インキで印刷されている番号（２０ａ）が蛍光を発し、読取可能なＯＣＲ番号（２０）となる偽造防止策が施された番号印刷媒体とすることができる。
【００２８】
また、上記請求項１に係る発明では、例えば、図６の平面図に示すように、証券用紙などでなる基材（１０）上に一連のＯＣＲ番号（２０）が上下２列で構成されていて、上列の「５６７８９０１２３４」が蛍光インキで印刷されている番号（２０ａ）でなり、下列の「１２３４５６７８９０」が有色インキで印刷されている番号（２０ｂ）でなるものとし、この下列の番号（２０ｂ）のうちの下１桁の「０」をチェックデジット（２２）とした偽造防止策が施された番号印刷媒体（１）とすることもできる。
【００２９】
さらにまた、上記請求項１に係る発明では、例えば、図３（ａ）に示すように、一連のＯＣＲ番号（２０）のうちの一部「５」が可視光線下では視認できない蛍光インキで印刷されているチェックデジット（２２）として、他の番号「１２３４５、６７８９０」は有色インキで印刷されている番号（２０ｂ）で構成されている偽造防止策が施された番号印刷媒体とすることもできる。
【００３０】
上記一連のＯＣＲ番号（２０）に紫外光線を発する読取装置（ブラックライト）で照射すると、例えば、図３（ｂ）に示すように、一連のＯＣＲ番号（２０）の中央の桁を、この一連のＯＣＲ番号（２０）の正当性を確認するためのチェックデジット（２２）となる「５」のみが発光して読み取ることができるようにする偽造防止策が施された番号印刷媒体である。
【００３１】
また、上記請求項２に係る発明では、例えば、図２（ａ）に示すような可視光線下では視認できない蛍光インキで印刷されている番号（２０ａ）のＰＣＳ濃度がＡフィルターで０．２以下とする偽造防止策が施された番号印刷媒体である。
【００３２】
上記蛍光インキで印刷されている番号（２０ａ）のＰＣＳ濃度が０．２を越えると可視光線下でも一連のＯＣＲ番号（２０）の存在とその内容が明確になるので、例えば、類似の蛍光インキで偽造されるなどの危惧があるので好ましくない。
【００３３】
また、上記請求項３に係る発明では、例えば、図４（ａ）に示すように、一連のＯＣＲ番号（２０）が可視光線下では視認できない蛍光インキで印刷されていて、その蛍光インキは、２５４ｎｍ前後の波長領域で発光する短波長蛍光インキと３４０ｎｍ近傍の波長領域で発光する長波長蛍光インキとでなるもので、前者の短波長蛍光インキでは、「１２３４５」の番号（２０ｃ）を、後者の長波長蛍光インキでは、「６７８９０」の番号（２０ｄ）を印刷した偽造防止策が施された番号印刷媒体とするものである。
【００３４】
上記図４（ａ）に示す可視光線下では視認できない２種類の蛍光インキでなる番号（２０ｃ、２０ｄ）に、短波長（２５４ｎｍ前後）蛍光の読取装置（ブラックライト）で照射すると、例えば、図４（ｂ）に示すように、「１２３４５６７８９０」の一連のＯＣＲ番号（２０）の全部（２０ｃ、２０ｄ）が蛍光色を発するようになる。
【００３５】
また、上記図４（ａ）に示す可視光線下では視認できない２種類の蛍光インキでなる番
号（２０ｃ、２０ｄ）に、長波長（３４０ｎｍ近傍）蛍光の読取装置（ブラックライト）で照射すると、例えば、図４（ｃ）に示すように、短波長蛍光インキで印刷されている番号（２０ｃ）の「１２３４５」は発光せず、長波長蛍光インキで印刷されている番号（２０ｄ）の「６７８９０」が蛍光色を発するようになる。
【００３６】
このように読取装置（ブラックライト）の種類を変えることにより、蛍光色を発する部分が変るようになるので、番号印刷媒体の真偽判定を確実に容易にし、かつ図２（ａ）に示すような１種類の蛍光インキでなる番号（２０ａ）に比べ偽造（複製）が困難な偽造防止策が施された番号印刷媒体とすることができる。すなわち偽造を企てる者が、たとえ蛍光インキで印刷されていると気付いたとしても、このような「からくり」までは気付かないようにしたものである。
【００３７】
さらにまた、上記請求項４に係る発明では、例えば、図４（ａ）に示すような一連のＯＣＲ番号（２０）を一つの版胴に、堰で仕切られた区画部分の短波長蛍光インキと長波長蛍光インキとを付けるレインボー印刷方式で印刷された偽造防止策が施された番号印刷媒体とするものである。
【００３８】
上記のように短波長蛍光インキでなる番号（２０ｃ）「１２３４５」と長波長蛍光インキでなる番号（２０ｄ）「６７８９０」をレインボー印刷方式で印刷すると、両者の境界となる番号（「５」と「６」）が両者のインキが混じり合ったものとなり、これに長波長蛍光のブラックライトで照射すると、例えば、図４（ｄ）に示すように、短波長蛍光インキで印刷されている番号（２０ｃ）のうちの「１２３４」が発光せず、長波長蛍光インキでなる番号（２０ｄ）のうちの「７８９０」が蛍光色を発するようになるもので、両者のインキが混じりあった番号（「５」と「６」）が僅かの蛍光色を発するようにすることができ、このようにレインボー印刷方式で印刷されたものは、より偽造による再現が困難な偽造防止策が施された番号印刷媒体とすることができる。
【００３９】
また、例えば、図３（ａ）に示すような一連のＯＣＲ番号（２０）のうちの一部「５」が可視光線下では視認できない蛍光インキで印刷されているチェックデジット（２２）として、他の番号「１２３４５、６７８９０」は有色インキで印刷されている番号（２０ｂ）で構成されているものを、レインボー印刷方式で印刷すると、両者の境界となる有色インキでなる番号（２０ｂの「５」と「６」）およびチェックデジット（２２）となる番号「５」が両者のインキが混じり合ったものとなり、可視光線下では、チェックデジット（２２）となる「５」が薄い有色となり、これらにブラックライトで照射すると、例えば、図３（ｃ）に示すように、有色インキで印刷されている番号（２０ｂの「５」と「６」）およびチェックデジット（２２）となる番号「５」が僅かの蛍光色を発するようにすることもでき、より偽造による再現が困難な偽造防止策が施された番号印刷媒体とすることができる。
【００４０】
上記蛍光インキのうちの短波長（２５４ｎｍ前後）で蛍光を発する蛍光物質（顔料）としては、例えば、Ｚｎ２  ＳｉＯ４  ：Ｍｎ、Ｃａ２  Ｂ５  Ｏ９  Ｃｌ：Ｅｕ２＋、ＣａｗＯ４  、ＺｎＯ：Ｚｎ、Ｙ２  Ｏ２  Ｓ：Ａｇ、ＹＶＯ４  ：Ｅｕ、Ｇｄ２  Ｏ２  Ｓ：Ｔｂ、ＬａＯ２  Ｓ：Ｔｂ、Ｙ３  Ａｌ５  Ｏ１２：Ｃｅなどが挙げられ、これら単体あるいは数種類混合されて使用することができる。
【００４１】
また、上記蛍光インキのうちの長波長（３４０ｎｍ近傍）の蛍光を発する蛍光物質（顔料）としては、芳香族ヘテロ環誘導体などの蛍光染料の樹脂固溶体であり、その樹脂としてはポリメタクリル酸エステル、尿素・ホルマリン樹脂、メラミン・ホルマリン樹脂、塩化ビニル、塩ビ・酢ビ共重合体、アルキッド樹脂およびそれらを変性したものが挙げられる。
【００４２】
上記蛍光染料としては、例えば、芳香族ヘテロ環誘導体としてのフルオレセン、エオシン、ローダミンＢ、ローダミン６Ｇ、チオフラビンなどの色素、ジアミノスチルベンジスルホン酸、イミダゾール、クマリン、トリアゾール、カルバゾール、ピリジン、ナフタル酸、イミダゾロンなどの誘導体、アントラセンなどのベンゼン環を有する化合物などが挙げられる。
【００４３】
また、上記請求項５に係る発明では、例えば、図５（ａ）に示すように、一連のＯＣＲ番号（２０）のうちの「１２３４５」が赤外線が透過するプロセスインキのイエロー（Ｙ）、シアン（Ｃ）、マゼンタ（Ｍ）が混合された混色墨インキでなる番号（２０ｅ）でなり、「６７８９０」が赤外線を吸収するカーボンブラック入りの墨インキでなる番号（２０ｆ）でなる偽造防止策が施された番号印刷媒体としたものである。
【００４４】
また、上記請求項５に係る発明では、例えば、図７の平面図に示すように、証券用紙などでなる基材（１０）上に一連のＯＣＲ番号（２０）が上下２列で構成されていて、上列の「５６７８９０１２３４」のうちの「５６７８９」が赤外線が透過するプロセスインキのイエロー（Ｙ）、シアン（Ｃ）、マゼンタ（Ｍ）が混合された混色墨インキでなる番号（２０ｅ）と、「０１２３４」が赤外線を吸収するカーボンブラック入りの墨インキでなる番号（２０ｆ）でなり、下列の「１２３４５６７８９０」が有色インキで印刷されている番号（２０ｂ）でなるものとし、この下列の番号（２０ｂ）のうちの下１桁の「０」をチェックデジット（２２）とした偽造防止策が施された番号印刷媒体（１）とすることもできる。
【００４５】
上記混色墨インキでなる番号（２０ｅ）とカーボンブラック入りの墨インキでなる番号（２０ｆ）とでなる一連のＯＣＲ番号（２０）を、専用の読取装置（赤外モニター）で観察すると、図５（ｂ）に示すように、混色墨インキでなる番号（２０ｅ）の部分「１２３４５」が観察されず、カーボンブラック入りの墨インキでなる番号（２０ｆ）の「６７８９０」のみが観察されるようになる偽造防止策が施された番号印刷媒体とすることができる。
【００４６】
以上のように、通常の可視光線下では黒色を呈する一連のＯＣＲ番号（２０）として視認されるが、それら一連のＯＣＲ番号（２０）の真偽判定は、上記の赤外モニター（赤外カメラ内蔵）や半導体レーザーによる波長７５０ｎｍ、７８０ｎｍ、８１０ｎｍ、８３０ｎｍ、９０５ｎｍ等のレーザー光を照射して可視領域の光をカットしたセンサーによって行うことができる。
【００４７】
さらにまた、上記請求項６に係る発明では、例えば、図５（ａ）に示すような一連のＯＣＲ番号（２０）を一つの版胴に、堰で仕切られた区画部分のプロセスインキＹ、Ｍ、Ｃの混合でなる混色墨インキとカーボンブラックが含有する墨インキとを付けるレインボー印刷方式で印刷された偽造防止策が施された番号印刷媒体とするものである。
【００４８】
上記のように混色墨インキでなる番号（２０ｅ）「１２３４５」とカーボンブラックが含有する墨インキでなる番号（２０ｆ）「６７８９０」をレインボー印刷方式で印刷すると、両者の境界となる番号（「５」と「６」）が両者のインキが混じり合ったものとなり、これらを赤外モニターで観察すると、例えば、図５（ｃ）に示すように、混色墨インキで印刷されている番号（２０ｅ）のうちの「１２３４」は全く観察されず、カーボンブラックが含有する墨インキでなる番号（２０ｆ）のうちの「７８９０」がくっきりと浮き上がって観察されるようになり、両者のインキが混じりあった番号（「５」と「６」）が僅かに観察されるようにすることができ、このようにレインボー印刷方式で印刷されたものは、より偽造による再現が困難な偽造防止策が施された番号印刷媒体とすることができる
。
【００４９】
以上のような本発明の偽造防止策が施された番号印刷媒体（１）は、商品券、商品券、金券、株券、債券等有価証券類に好適に採用することができる。
【図面の簡単な説明】
【００５０】
【図１】本発明の偽造防止策が施された番号印刷媒体の一実施の形態を示す平面図である。
【図２】本発明の偽造防止策が施された番号印刷媒体の番号印刷の一事例を示すもので、（ａ）は、蛍光インキで印刷され、可視光線下で観察されたものであり、（ｂ）は、ブラックライトで照射されたときの形態を示すものである。
【図３】本発明の偽造防止策が施された番号印刷媒体の実施の形態を示すもので、（ａ）は、一連の番号のうちの一部が蛍光インキで印刷されているものであり、（ｂ）は、（ａ）にブラックライトで照射されたときの形態を示す図であり、（ｃ）は、（ａ）をレインボー印刷したものにブラックライトで照射されたときの形態を示す図である。
【図４】本発明の偽造防止策が施された番号印刷媒体の実施の形態を示すもので、（ａ）は、２種類の蛍光インキで印刷された番号を可視光下で観察される図であり、（ｂ）は、（ａ）を短波長蛍光を発するブラックライトで照射したときの状態を示す図であり、（ｃ）は、（ａ）を長波長蛍光を発するブラックライトで照射したときの状態を示す図であり、（ｄ）は、レインボー印刷したときの（ａ）を長波長蛍光を発するブラックライトで照射したときの状態を示す図である。
【図５】本発明の偽造防止策が施された番号印刷媒体の実施の形態を示すもので、（ａ）は、２種類の墨インキで印刷された番号を可視光下で観察される図であり、（ｂ）は、（ａ）を赤外モニターで観察したときの状態を示す図であり、（ｃ）は、レインボー印刷したときの（ａ）を赤外モニターで観察したときの状態を示す図である。
【図６】本発明の偽造防止策が施された番号印刷媒体の他の一実施の形態を説明する平面図である。
【図７】本発明の偽造防止策が施された番号印刷媒体の他の一実施の形態を説明する平面図である。
【符号の説明】
【００５１】
１‥‥偽造防止策が施された番号印刷媒体
１０‥‥基材
２０‥‥ＯＣＲ番号
２０ａ‥‥蛍光インキで印刷された番号
２０ｂ‥‥有色インキで印刷された番号
２０ｃ‥‥短波長蛍光インキで印刷された番号
２０ｄ‥‥長波長蛍光インキで印刷された番号
２０ｅ‥‥混色墨インキで印刷された番号
２０ｆ‥‥カーボンブラック含有の墨インキで印刷された番号
２２‥‥チェックデジット
【図１】
2006205500.tif 000003
【図２】
2006205500.tif 000004
【図３】
2006205500.tif 000005
【図４】
2006205500.tif 000006
【図５】
2006205500.tif 000007
【図６】
2006205500.tif 000008
【図７】
2006205500.tif 000009